(57)【要約】【目的】最寄り施設探索の対象ジャンルが複数であっても、施設探索に要する時間を短縮する「最寄り施設探索装置及び探索方法」を提供する。【構成】最寄り施設を探索し、該施設の情報を１個づつ地図画面上に表示する場合、最寄りジャンル保存部26に保存されている最寄り探索対象のジャンルが複数存在する時、最寄り施設探索部27は、該複数のジャンルの最寄り施設をデータべース25より探索して最短距離の施設の情報を表示し、距離順表示が指示された場合、現在表示している施設のジャンルに属する施設の情報を距離順に表示し、ジャンル変更が指示された場合、ジャンルを変更し、変更後のジャンルに属する施設の情報を表示する。【選択図】        図２
2005083802.tif 000002
【特許請求の範囲】
【請求項１】
最寄り施設を探索し、該施設の情報を１個づつ地図画面上に表示する最寄り施設探索方法において、
探索対象のジャンルが複数存在する時、該複数のジャンルの最寄り施設を探索して最短距離の施設の情報を表示し、
距離順表示が指示された場合、現在表示している施設のジャンルに属する施設の情報を距離順に表示し、
ジャンル変更が指示された場合、ジャンルを変更し、変更後のジャンルに属する施設の情報を表示する、
ことを特徴とする最寄り施設探索方法。
【請求項２】
前記探索対象のジャンルは、最寄り表示機能により地図上にランドマークを表示するように設定されているジャンルである、
ことを特徴とする請求項１記載の最寄り施設探索方法。
【請求項３】
ジャンルに優先順位を付しておき、優先順位が最高のジャンルに属する施設のうち、最短距離の施設の情報を最初に表示し、ジャンル変更が指示された場合、優先順にジャンルを変更し、変更後のジャンルに属する施設の情報を表示する、
ことを特徴とする請求項１記載の最寄り施設探索方法。
【請求項４】
最寄り施設を探索し、該施設の情報を１個づつ地図画面上に表示する最寄り施設探索装置において、
探索対象のジャンルが複数存在する時、該複数のジャンルの最寄り施設を探索して最短距離の施設の情報を表示する手段、
距離順表示及びジャンル変更を指示する手段、
距離順表示が指示された場合、現在表示している施設のジャンルに属する施設の情報を距離順に表示し、ジャンル変更が指示された場合、ジャンルを変更し、変更後のジャンルに属する施設の情報を表示する手段、
を備えたことを特徴とする最寄り施設探索装置。
【請求項５】
ジャンルに優先順位を付しておき、前記施設情報表示手段は、優先順位が最高のジャンルに属する施設のうち、最短距離の施設の情報を最初に表示し、ジャンル変更が指示された場合、ジャンルを優先順に変更し、変更後のジャンルに属する施設の情報を表示するする、
ことを特徴とする請求項４記載の最寄り施設探索装置。
【請求項６】
前記指示手段は、十字キーであり、上下で距離順表示を、左右でジャンル変更を指示すること、
ことを特徴とする請求項４記載の最寄り施設探索装置。
【発明の詳細な説明】
【技術分野】
【０００１】
本発明は最寄り施設探索装置及び探索方法に係わり、特に所望の最寄り施設を短時間で探索可能なナビゲーションシステムにおける最寄り施設探索装置及び探索方法に関する。
【背景技術】
【０００２】
車両の走行案内を行い、運転者が所望の目的地に容易に到達できるようにしたナビゲーション装置は、車両の位置を検出して地図記録媒体（例えばＣＤ−ＲＯＭ、ＤＶＤディスク）から車両位置周辺の地図データを読み出し、地図画像をディスプレイ画面に描画するとともに該地図画像上の所定箇所に自車位置マークを重ねて描画する。そして、車両の移動により自車位置が変化するに従い、自車位置マークを画面所定位置に固定して地図をスクロールし、常に、車両位置周辺の地図情報が一目で判るようになっている。また、以上に加えて、ナビゲーション装置は、出発地から目的地までの誘導経路を探索し、該誘導経路を地図上に表示する経路誘導機能や地図上に予め設定したジャンルの周辺施設の所在を示すランドマークを表示する最寄り施設表示機能、各最寄り施設の情報(距離、店名など)を１つづつ距離順に表示する最寄り情報表示機能等を備えている。
【０００３】
ナビゲーションの地図表示設定メニューにおいて、最寄り表示機能を「表示オン」設定し、かつ、最寄り施設の一覧表より所望の施設、例えば「ガソリンスタンド」、「コンビニエンスストア」を最寄り表示する施設として選択すれば、ナビゲーション装置は、地図上のガソリンスタンド、コンビニエンスストアの所在地にこれらに応じたランドマークを表示する。なお、ランドマークは、ガソリンスタンドであれば、コスモ石油、モービル石油、エネオスなどディーラに応じたランドマークが表示され、コンビニエンスストアであれば、セブンイレブン、ローソン、ミニストップなどに応じたランドマークが表示される。
【０００４】
最近、カーナビゲーションにおいて、運転中の機器操作について制限がかけられるようになっている。このため、メニュー画面から階層を一段づつ下がって操作する機能など、操作に時間がかかる機能（視認時間が長い機能）は使えない作りになっている。たとえば、日本においては自工会によるガイドラインにより操作時間に規制がかけられており、この規制をクリアするように構成さする必要がある。そのため、運転中の使用が想定される機能については、ショートカットボタンや単純な操作フローにしたがって遷移するものが用意されている。たとえば、前述の最寄り施設表示機能によりランドマークを表示するように設定してある最寄り施設の中から所望の施設を探索して目的地設定したい場合がある。かかる場合、ショートカットボタンや簡易メニュー呼出しにより、「最寄り施設探索」を行い、目的地として設定することが可能であり、以下において、ランドマーク表示を「コンビニ」「ガソリンスタンド」に設定している場合について、図５〜図９に従って説明する。
【０００５】
図５は最寄り施設探索の処理フローであり、まず、リモコン1上のショートカットボタン(最寄りボタン)Ｋ1を押下して最寄り施設探索をナビゲーションシステムに指示する(ステップ101)。
ナビゲーションシステムは、最寄り表示機能でランドマーク表示設定を行った「コンビニ」、「ガソリンスタンド」に該当する施設を距離順に並び替えを行い(図６参照)、図７に示すように最も近いコンビニＡ(セブンイレブン)までの距離及び店名などの情報SIを地図画面右上に表示する。
ついで、ユーザはリモコン1上のジョイステックキーK2の上下により施設探索を行い、所望の施設情報を表示する(ステップ102)。なお、ジョイステックキーK2で上方向を入力すれば、システムは図８の上方向に距離順(昇順)に一つづつ該当施設の情報SIを地図画面右上に表示し、下方向を入力すれば、図８の下方向に距離順(降順)に一つづつ該当施設の情報を地図画面右上に表示する。
【０００６】
上記操作で所望の施設情報SIが表示されて、ユーザがジョイステックキーK2を押下して決定を入力すれば、システムは図９に示すようにメニュー画面Ｍを地図画面右側に表示するから例えば「ここに行く」を選択して目的地設定すれば、システムは前記選択されている施設までの経路を探索して地図画面上に識別可能に表示する(ステップ103)。
しかし、上記従来技術では、複数のジャンルにまたがる施設を距離順に並び替えたのみである。このため、ジョイスティックキーの上下で施設を探す場合、キー入力後にどのジャンルの施設が次に表示されるのか分からず、一つ一つ確認する内容が増え、施設探索に時間がかかってしまう問題がある。
【０００７】
たとえば、ガソリンスタンドの内、よく行くJOMOを探したい時、最寄探索を実行すると、
(1)まず始めにコンビニAが表示される。
(2)次にジョイスティックキーを上方向に押すとガソリンスタンドAが表示される。
(3)ガソリンスタンドAがあまりユーザの好みと合致しない（JOMOでない）場合、再度ジィスティックキーを上方向に押す。その時、コンビニBが表示される。
(4)以降、ジョイスティックキーを数回押す（コンビニC、コンビニDが表示）。
(5)その後、ガソリンスタンドB（JOMO）が表示され、やっと目的地として設定可能となる。
【０００８】
上記の操作フローではショートカットキーを使用しているが、所望の施設が表示される順番により時間がかかり、自工会＆国土交通省の規定を満足できず、運転中の操作は危険であるとの判断される場合がある。すなわち、施設探索に時間がかかってしまう問題がある。
所望のジャンルを1つ指定し、該ジャンルの店を距離順に1画面で表示したり、複数のジャンルを指定し(一括探索)、指定した全ジャンルの店を距離順に1画面で表示する従来技術がある(特許文献1)。
【特許文献１】特開平１０−３０９３１
【発明の開示】
【発明が解決しようとする課題】
【０００９】
しかし、従来技術では、1画面で一括表示するものであり、地図画面上に1個づつ施設情報を探索表示するものではない。従って、従来技術では1個づつ施設情報を探索表示する場合において施設探索時間が長くなるという問題点を解決できない。
所望の施設探索表示までに時間を要する原因を検討すると以下が考えられる。
・複数ジャンルを表示するように設定している場合、運転中に最寄探索すると距離順に全施設が提示されるため、探すのに時間がかかってしまう。この結果、運転中に画面を見る時間が多くなってしまう。
・次の施設を表示する時、どのジャンルの施設が来るの分からない（距離順の表示であるため）。例えば、コンビニとガソリンスタンドをランドマーク設定している場合において、コンビニのローソンを行き先にしたい場合、現在、コンビニのサンクスの情報が探索表示されているが、次に表示される施設はガソリンスタンドかコンビニなのかも分からない。
・ジョイスティックキーの上下スクロールにて施設探索を行っているが、ジョイスティックキーによる施設の行き過ぎが発生してしまい、戻る操作が発生する。
以上から本発明の目的は、1個づつ施設情報を探索表示する場合において最寄り施設探索に要する時間を短縮できるようにすることである。
本発明の別の目的は、最寄り施設探索の対象ジャンルが複数であっても、施設探索に要する時間を短縮できるようにすることである。
【課題を解決するための手段】
【００１０】
本発明の第1は、最寄り施設を探索し、該施設の情報を１個づつ地図画面上に表示するナビゲーションシステムにおける最寄り施設探索方法である。この最寄り施設探索方法では、探索対象のジャンルが複数存在する時、該複数のジャンルの最寄り施設を探索して最短距離の施設の情報を表示し、距離順表示が指示された場合、現在表示している施設のジャンルに属する施設の情報を距離順に表示し、ジャンル変更が指示された場合、ジャンルを変更し、変更後のジャンルに属する施設の情報を表示する。この最寄り施設探索方法によれば、所望のジャンルを選択し、該ジャンルにおいて距離順に施設の情報を表示できるため、施設探索に要する時間を短縮できる。
また、ジャンルに優先順位を付しておき、優先順位が最高のジャンルに属する施設のうち、最短距離の施設の情報を最初に表示し、ジャンル変更が指示された場合、優先順にジャンルを変更し、変更後のジャンルに属する施設の情報を表示するようにする。このようにすれば、ジャンル変更操作を少なくしてより高速に所望の施設を探索して表示することができる。
また、探索対象のジャンルは、最寄り表示機能により地図上にランドマークを表示するように設定されているジャンルとすれば、最寄り施設探索においてジャンルを一々キー入力する必要がなく高速に所望の施設を探索して表示することができる。
【００１１】
本発明の第２は、最寄り施設を探索し、該施設の情報を１個づつ地図画面上に表示するナビゲーションシステムにおける最寄り施設探索装置であり、この最寄り施設探索装置は、探索対象のジャンルが複数存在する時、該複数のジャンルの最寄り施設を探索して最短距離の施設の情報を表示する手段、距離順表示及びジャンル変更を指示する手段、距離順表示が指示された場合、現在表示している施設のジャンルに属する施設の情報を距離順に表示し、ジャンル変更が指示された場合、ジャンルを変更し、変更後のジャンルに属する施設の情報を表示する手段、を備えている。この最寄り施設探索装置によれば、所望のジャンルを選択し、該ジャンルにおいて距離順に施設の情報を表示できるため、施設探索に要する時間を短縮できる。
又、ジャンルに優先順位を付しておき、前記施設情報表示手段は、優先順位が最高のジャンルに属する施設のうち、最短距離の施設の情報を最初に表示し、ジャンル変更が指示された場合、ジャンルを優先順に変更し、変更後のジャンルに属する施設の情報を表示する。このようにすれば、ジャンル変更操作を少なくしてより高速に所望の施設を探索して表示することができる。
又、指示手段を十字キーとし、上下で距離順表示を、左右でジャンル変更を指示するようにする。このようにすれば、ジョイスティックキーのようにスクロールの行き過ぎの発生を防止することができる。
【発明の効果】
【００１２】
本発明の最寄り施設探索方法及び探索装置によれば、所望のジャンルを選択し、該ジャンルにおいて距離順に施設の情報を表示できるため、施設探索に要する時間を短縮することができる。
また、本発明の最寄り施設探索方法及び探索装置によれば、ジャンルに優先順位を付しておき、優先順位が最高のジャンルに属する施設のうち、最短距離の施設の情報を最初に表示し、ジャンル変更が指示された場合、優先順にジャンルを変更し、変更後のジャンルに属する施設の情報を表示するようにしたから、ジャンル変更操作を少なくしてより高速に所望の施設を探索して表示することができる。
また、探索対象のジャンルは、最寄り表示機能により地図上にランドマークを表示するように設定されているジャンルとすれば、最寄り施設探索においてジャンルを一々キー入力する必要がなく高速に所望の施設を探索して表示することができる。
また、、指示手段を十字キーとし、上下で距離順表示を、左右でジャンル変更を指示するようにすれば、ジョイスティックキーのようにスクロールの行き過ぎの発生を防止することができ、高速に所望の施設を探索して表示することができる。
【発明を実施するための最良の形態】
【００１３】
図1は本発明の概略説明図であり、探索対象ジャンルがガソリンスタンド、コンビニエンスストア（コンビニ）であり、これらは最寄り施設表示機能において地図上にランドマークを表示するように設定されているジャンルである。なお、ジャンルは別途入力してもよいが、その分時間がかかる。
探索対象の最寄り施設のジャンルが複数存在する時(図１（A）ではガソリンスタンド、コンビニ)、ショートカットキー操作で最寄り施設探索が要求されると、ナビゲーションシステムは図１(B)に示すように、複数のジャンルの最寄り施設を探索してジャンル毎に距離順に並べる。そして、最初は全施設のうち、最短距離の施設(コンビニＡ)の情報を表示する。
【００１４】
目的とする施設がコンビニであれば、ジャンルを変更することなく十字キーを用いて距離順表示を要求する。すなわち、十字キーより上方向を入力する。システムは、上方向入力毎に距離順にコンビニＡ→コンビニＢ→コンビニＣ→コンビニＤと各コンビニの情報を地図画面の右上に該当するコンビニの情報を表示する(図７、図９参照)。なお、下方向が入力されると逆方向に距離順にコンビニの情報を表示する。
一方、目的とする施設がガソリンスタンドの場合には、コンビニＡの情報が表示されている状態で、十字キーを用いてジャンル変更を要求する。すなわち、十字キーより右方向を入力する。システムは、右方向入力毎にジャンルを変更すると共に該ジャンルで最短距離の施設の情報を地図画面の右上に表示する。なお、左方向を入力すると、ジャンルを戻すことができる。所望のジャンル(ガソリンスタンド)を選択した後、十字キーより上方向を入力すれば、システムは、上方向入力毎に距離順にガソリンスタンドＡ→ガソリンスタンドＢ→ガソリンスタンドＣと各ガソリンスタンドの情報を地図画面の右上に表示する。
【００１５】
以上のように、所望のジャンルを選択し、該ジャンルにおいて距離順に施設の情報を表示するため、施設探索に要する時間を短縮することができる。
また、ジャンルに優先順位を付しておき、優先順位が最高のジャンルに属する施設のうち、最短距離の施設の情報を最初に表示し、ジャンル変更が指示された場合、優先順にジャンルを変更し、変更後のジャンルに属する施設の情報を表示するようにする。このようにすれば、ジャンル変更操作を少なくしてより高速に所望の施設を探索して表示することができる。
また、探索対象のジャンルは、最寄り表示機能により地図上にランドマークを表示するように設定されているジャンルとすれば、最寄り施設探索においてジャンルを一々キー入力する必要がなく高速に所望の施設を探索して表示することができる。
また、距離順表示、ジャンル変更を指示する手段として十字キーを用いれば、ジョイスティックキーによる施設の行き過ぎの発生を防止することができる。
【実施例１】
【００１６】
図２は本発明のナビゲーションシステムの構成図である。
地図呼出制御部11は車両位置周辺の地図情報(図葉毎の地図データ)を地図記録媒体(DVD、ハードディスクなど)10から読み取って地図バッファ12に保存する。地図描画部13は、地図情報に基づいて車両位置周辺の地図画像を発生して内蔵のVRAMに保存する。画像表示制御部14はVRAMから地図画像を読み出してディスプレイ装置15のスクリーンに表示する。リモコン16及び又は固定のボタン操作部17或いはタッチスクリーン入力部は、各種のナビゲーション用のコマンドを入力し、入力処理部18は各入力部からのコマンドを取り込んで必要なユニットに入力する。図3はリモコン16の外観図であり、本発明に関連するボタン(キー)として、十字キー16a，最寄り施設探索キー16b、決定キー16c等が設けられている。
【００１７】
自車位置検出部19は、自立センサー(距離センサー、方向センサー)やGPS受信機を備え、車両位置計算部20は自立センサーやGPS受信機の出力信号に基づいて適宜マップマッチング計算などを実行して車両位置を計算する。操作画面描画部21はリモコンやボタン操作部の操作による各種入力に基づいて必要な操作画面を発生し、画像表示制御部14は該操作画面をディスプレイ装置15のスクリーンに単独であるいは地図画像上に重ねて表示する。誘導経路探索処理部22は目的地を入力して経路探索が指示されると目的地までの経路を探索して誘導経路メモリ23に格納し、誘導経路描画部24は探索された誘導経路を他の道路と識別可能に描画して画像表示制御部14に入力し、画像表示制御部14は誘導経路を地図画像上に表示する。
【００１８】
最寄り施設データべース25は、地図の図葉毎に該図葉に存在する施設に対応させて、施設名、経緯度、ジャンル、TEL番号、ランドマーク等を保存する。最寄りジャンル保存部26は、最寄り施設表示機能によりランドマークを表示するものとして設定されているジャンル名を保存する。図では、コンビニ、ガソリンスタンドが最寄りジャンルとして記憶されており、それらの優先順位も記憶されている。なお、優先順位は、最寄りジャンルを設定する際に入力してもよいし、あるいは、ジャンル毎に予めシステムに設定しておくこともできる。最寄り施設探索部27は、図4に示す処理フローに従って最寄り施設探索処理を実行して所望の最寄り施設の情報を表示すると共に、該施設を目的地として設定するなどの処理を行なう。最寄り施設探索部27はコンピュータ構成になっており、プロセッサ、メモリなどを備えている。
【００１９】
図4は本発明の最寄り施設探索部27の最寄り施設探索処理フローである。
最寄りキー16b(図３参照)を押下して最寄り施設探索を要求すると、最寄り施設探索部27は最寄りジャンル保存部26より、ランドマーク表示の設定をしているジャンル名を抽出する(ステップ201)。ついで、抽出したジャンル名毎に、最寄り施設データべース25より最寄り施設を探索して距離順に並べて内蔵のメモリに保存する(ステップ202)。
ついで、全施設のうち、自車に最も近い施設の施設情報を操作画面描画部21に渡し、地図画面の右上に該施設情報を重ねて表示すると共に(図７参照)、該施設を示すランドマークを点滅する(ステップ203)。なお、優先順位が最高ジャンルの施設のうち、自車に最も近い施設の情報を表示するようにもできる。
【００２０】
この状態でキー操作があるか監視し(ステップ204)、キー操作があれば、キー内容を判断する。操作キーが十字キー16a(図3)で上下方向入力であれば、現表示施設と同一ジャンルの施設を上方向入力であれば距離昇順に施設の情報を操作画面描画部21に渡して表示し、下方向入力であれば、距離降順に施設の情報を表示する(ステップ205)。
操作キーが十字キー16aで右方向入力であれば、優先順位が現表示施設ジャンルの次のジャンルの施設であって最短距離の施設の情報を操作画面描画部21に渡して表示する。なお、既に最短距離の施設情報を表示済みであれば、前回表示していた施設の次に近い施設の情報を表示する(ステップ206)。この場合、前回表示していた施設の情報を表示するようにしてもよい。
【００２１】
操作キーが決定キー16cであれば、操作画面描画部21を制御して次処理決定メニューM(図9)を表示する。このメニューＭは、「施設に立ち寄る」、「施設へ行く」、「登録地点にする」、「詳細情報を見る」等を決定するためのメニュであり、この状態でユーザが「施設へ行く」を選択して決定キー16cを操作すれば、最寄り施設探索部27は経路探索処理部22へ施設の経緯度情報を渡す。経路探索処理部22該当施設までの経路を探索し(ステップ208)、誘導経路描画部24は探索した経路を地図上に表示し、該経路に従って経路誘導を開始する(ステップ209)
以上、本発明によれば、最寄施設を探索する場合、ジャンル・距離での絞込みが行える。また、本発明によれば、左右キー入力によりジャンルが絞り込めている為、距離順に探索（上下キー入力）する時、次の施設がどのジャンルか分かる。また、本発明によれば、十字キーをもちいているため、スクロールの行き過ぎによるミスを改善できる。以上より、運転中に使用する場合の画面視認時間を削減でき、施設探索時間の短縮が可能となった。
なお、実施例では、ジャンルがコンビニとガソリンスタンドの2つの場合であるが、ジャンルの数が多い程本発明の時間短縮の効果は大きい。
【図面の簡単な説明】
【００２２】
【図１】図1は本発明の概略説明図である。
【図２】本発明のナビゲーションシステムの構成図である。
【図３】リモコンの外観図である。
【図４】本発明の最寄り施設探索部の最寄り施設探索処理フローである。
【図５】従来の最寄り施設探索の処理フローである。
【図６】施設の距離順並び替え説明図である。
【図７】施設情報表示説明図である。
【図８】施設の距離昇順／降順表示の説明図である。
【図９】施設情報表示例である。
【符号の説明】
【００２３】
１５  ディスプレイ装置
２５  最寄り施設データべース
２６  最寄りジャンル保存部
２７  最寄り施設探索部
【図１】
2005083802.tif 000003
【図２】
2005083802.tif 000004
【図３】
2005083802.tif 000005
【図４】
2005083802.tif 000006
【図５】
2005083802.tif 000007
【図６】
2005083802.tif 000008
【図７】
2005083802.tif 000009
【図８】
2005083802.tif 000010
【図９】
2005083802.tif 000011